(57)【要約】【課題】ユーザが他のユーザに視聴されたくない映像を視聴しているときに、ユーザの指示に応じて瞬時に表示映像を切り替えて、ユーザのプライバシーを保護することが可能な映像再生装置を提供する。【解決手段】映像再生装置は、光ディスクに記録された第１映像データを再生しながら、第２の記憶装置に記憶された第２映像データを読み出してバックグラウンドで再生する。ユーザが第１映像データを視聴しているときにリモコンの映像切替指示キーを押下すると、映像再生装置は、装置に接続されたディスプレイに出力される映像データを第１映像データから第２映像データに直ちに切り替える。その後、ユーザが映像切替指示キーを再度押下するとともにパスワードを入力すると、映像再生装置は、第２映像データから第１映像データに出力映像を切り替える。【選択図】図２
2011114819.tif 000002
【特許請求の範囲】
【請求項１】
記録媒体に記録されている第１映像データを読み出す第１データ読出手段と、前記第１データ読出手段によって読み出された前記第１映像データを復号する復号手段と、外部の表示装置と接続され、前記復号手段によって復号された映像データの入力を受けて表示装置に応じて変換して出力する映像データ出力手段と、指示を入力するためにユーザによって操作される指示入力手段とを備えた映像再生装置において、
前記第１映像データとは異なる第２映像データを記憶する第２データ記憶手段をさらに備え、
前記指示入力手段は、前記映像データ出力手段から出力される映像データを切り替えるための映像切替指示キーを有し、
前記復号手段は、前記第１データ読出手段によって読み出された前記第１映像データを復号しながら、それと並行して前記第２データ記憶手段から読み出された前記第２映像データを復号し、
前記復号手段から前記映像データ出力手段に前記第１映像データが入力されている状態においてユーザによって前記映像切替指示キーが操作されたとき、前記復号手段から前記映像データ出力手段に入力される映像データを前記第１映像データから前記第２映像データに直ちに切り替える映像データ切替手段をさらに備えたことを特徴とする映像再生装置。
【請求項２】
前記復号手段から前記映像データ出力手段に前記第２映像データが入力されている状態において前記映像切替指示キーがさらに操作されたとき、
前記映像データ切替手段は、前記復号手段から前記映像データ出力手段に入力される映像データを前記第２映像データから前記第１映像データに切り替えることを特徴とする請求項１に記載の映像再生装置。
【請求項３】
前記映像切替指示キーが操作されるとともに前記指示入力手段を介してパスワードの入力がなされたときに、前記映像データ切替手段は、前記復号手段から前記映像データ出力手段に入力される映像データを前記第２映像データから前記第１映像データに切り替えることを特徴とする請求項２に記載の映像再生装置。
【請求項４】
前記第２データ記憶手段は内蔵メモリであることを特徴とする請求項１乃至請求項３のいずれか一項に記載の映像再生装置。
【請求項５】
前記第２データ記憶手段は着脱可能な外部メモリであることを特徴とする請求項１乃至請求項３のいずれか一項に記載の映像再生装置。
【請求項６】
前記第２データ記憶手段はハードディスクであることを特徴とする請求項１乃至請求項３のいずれか一項に記載の映像再生装置。
【発明の詳細な説明】
【技術分野】
【０００１】
本発明は、光ディスク等の記録媒体に記録された映像データを再生する映像再生装置に関し、特に、現在視聴中の映像を別の映像に瞬時に切り替えてユーザのプライバシーを保護できる映像再生装置に関する。
【背景技術】
【０００２】
光ディスク装置等の映像再生装置は、ユーザからの指示に応じて、光ディスク等の記録媒体に記録された映像データを読み出し、増幅、復号等の信号処理を行ってディスプレイに出力する。ユーザが映像再生装置を用いて映像を視聴するとき、視聴中の映像を他のユーザに視聴されることを避けたい場合がある。例えば、他人に見られたくない映像を個人的に視聴しているときに突然他のユーザが入室してきた場合、ユーザは、視聴中の映像の再生を停止するか、別の映像に切り替えるであろう。しかしながら、他のユーザの入室後に映像の再生を停止すると、ユーザが他人に見られたくない映像を視聴していたことを他のユーザに気付かれる可能性がある。また、別の映像に切り替える場合でも、チャンネルの切り替えや記憶されているデータの読み出しに時間がかかるため、瞬時に映像を切り替えることができず、他のユーザに気付かれる可能性がある。
【０００３】
そこで、特許文献１には、視聴権利を持たないユーザの存在をセンサにより検出したとき又はユーザから指示を受けたときにシークレットモードから通常モードへの切り替えを行い、シークレットモードにおいて視聴中のコンテンツの配信を停止し、通常モードにおけるコンテンツの配信を開始する情報処理装置が開示されている。しかしながら、この装置においては、視聴権利を持たないユーザの存在を検出するためのセンサを別個に設ける必要がある。ユーザからの指示に応じてモードの切り替えが行われる場合は、切り替え後の映像データに対する信号処理が行われるまではその映像が画面に表示されないため、映像が切り替えられたことを他のユーザに気付かれる可能性がある。
【０００４】
特許文献２は、テレビ視聴と画像表示アプリケーションとの切り替えをＵｐ／Ｄｏｗｎキーの操作だけで行えるようにしたテレビジョン信号受信装置を開示し、予め設定された機能にワンボタンで移行する技術についても記載している。特許文献３は、視聴者を撮影して個人を識別し、識別された視聴者に応じてチャンネル変更等の視聴規制を行う表示装置を開示している。また、特許文献４は、ＴＶチューナ付きのＰＣにおいてＴＶ映像とＰＣ映像の切り替えを制御する技術を開示している。しかしながら、これらの特許文献に記載の技術を適用しても、上述した問題点は解決されない。
【先行技術文献】
【特許文献】
【０００５】
【特許文献１】特開２００５−３４８０３５号公報
【特許文献２】特開２００２−１３５６７６号公報
【特許文献３】特開２００１−０１６５１４号公報
【特許文献４】特開２００６−１４０７８８号公報
【発明の概要】
【発明が解決しようとする課題】
【０００６】
本発明は、上述した問題点を解決するためになされたものであり、ユーザが他のユーザに視聴されたくない映像を視聴しているときに、ユーザの指示に応じて瞬時に表示映像を切り替えて、ユーザのプライバシーを保護することが可能な映像再生装置を提供することを目的とする。
【課題を解決するための手段】
【０００７】
上記目的を達成するために請求項１の発明は、記録媒体に記録されている第１映像データを読み出す第１データ読出手段と、第１データ読出手段によって読み出された第１映像データを復号する復号手段と、外部の表示装置と接続され、復号手段によって復号された映像データの入力を受けて表示装置に応じて変換して出力する映像データ出力手段と、指示を入力するためにユーザによって操作される指示入力手段とを備えた映像再生装置において、第１映像データとは異なる第２映像データを記憶する第２データ記憶手段をさらに備え、指示入力手段は、映像データ出力手段から出力される映像データを切り替えるための映像切替指示キーを有し、復号手段は、第１データ読出手段によって読み出された第１映像データを復号しながら、それと並行して第２データ記憶手段から読み出された第２映像データを復号し、復号手段から映像データ出力手段に第１映像データが入力されている状態においてユーザによって映像切替指示キーが操作されたとき、復号手段から映像データ出力手段に入力される映像データを第１映像データから第２映像データに直ちに切り替える映像データ切替手段をさらに備えたことを特徴とする。
【０００８】
請求項２の発明は、請求項１に記載の映像再生装置において、復号手段から映像データ出力手段に第２映像データが入力されている状態において映像切替指示キーがさらに操作されたとき、映像データ切替手段は、復号手段から映像データ出力手段に入力される映像データを第２映像データから第１映像データに切り替えることを特徴とする。
【０００９】
請求項３の発明は、請求項２に記載の映像再生装置において、映像切替指示キーが操作されるとともに指示入力手段を介してパスワードの入力がなされたときに、映像データ切替手段は、復号手段から映像データ出力手段に入力される映像データを第２映像データから第１映像データに切り替えることを特徴とする。
【００１０】
請求項４の発明は、請求項１乃至請求項３のいずれか一項に記載の映像再生装置において、第２データ記憶手段は内蔵メモリであることを特徴とする。
【００１１】
請求項５の発明は、請求項１乃至請求項３のいずれか一項に記載の映像再生装置において、第２データ記憶手段は着脱可能な外部メモリであることを特徴とする。
【００１２】
請求項６の発明は、請求項１乃至請求項３のいずれか一項に記載の映像再生装置において、第２データ記憶手段はハードディスクであることを特徴とする。
【発明の効果】
【００１３】
請求項１の発明によれば、記録媒体から読み出された第１映像データの復号と並行して、第２データ記憶手段から読み出された第２映像データが復号される。そして、ユーザが映像切替指示キーを操作すると、復号手段から映像データ出力手段に入力される映像データが第１映像データから第２映像データに切り替えられる。このとき、第２映像データは予めバックグラウンドで復号されているため、映像切替指示キーの操作に応じて直ちに出力映像を切り替えることができる。この構成によると、第２データ記憶手段に予め他のユーザに見られても差し支えない第２映像データを記憶させておくことにより、その第２映像データを第１映像データと並行して復号することができる。従って、ユーザは、他のユーザに見られたくない第１映像データを個人的に視聴しているときに突然他のユーザが現れた場合であっても、指示入力手段の映像切替指示キーを押下するだけで瞬時に他のユーザに見られても差し支えない第２映像データに表示映像を切り替えることができる。その結果、他のユーザに違和感を与えることなく、個人的に視聴していた映像が他のユーザの目に触れることを防止し、ユーザのプライバシーを保護することができる。
【００１４】
請求項２の発明によれば、第２映像データが映像データ出力手段に入力されている状態においてユーザが映像切替指示キーを操作すると、復号手段から映像データ出力手段に入力される映像データが第２映像データから第１映像データに切り替えられる。従って、例えば他のユーザが退室したためにユーザが第１映像データを再度視聴したい場合には、映像切替指示キーを再度押下するだけで第２映像データから第１映像データに表示映像を戻すことができる。
【００１５】
請求項３の発明によれば、第２映像データから第１映像データへの出力映像の切り替えは、映像切替指示キーが操作されるとともに予め設定されたパスワードが入力された場合にのみ行われる。従って、第２映像データの視聴中に他のユーザが映像切替指示キーを押下したとしても、第１映像データが表示されることはない。
【００１６】
請求項４の発明によれば、映像切替指示キーの押下に応じて内蔵メモリに記憶された第２映像データを表示装置に出力することができるので、簡素な構成で請求項１乃至請求項３に記載の映像再生装置を実現できる。
【００１７】
請求項５の発明によれば、映像切替指示キーの押下に応じて着脱可能な外部メモリに記憶された第２映像データを表示装置に出力することができるので、多様な第２映像データの記憶を容易に行えるようになる。
【００１８】
請求項６の発明によれば、映像切替指示キーの押下に応じてハードディスクに記憶された第２映像データを表示装置に出力することができるので、大容量の映像データを第２映像データとして記憶できる。
【図面の簡単な説明】
【００１９】
【図１】本発明の第１実施形態による映像再生装置の概略構成を示すブロック図。
【図２】同映像再生装置による映像切替動作を示すフローチャート。
【図３】本発明の第２実施形態による映像再生装置の概略構成を示すブロック図。
【図４】同映像再生装置による映像切替動作を示すフローチャート。
【図５】本発明の第３実施形態による映像再生装置の概略構成を示すブロック図。
【図６】同映像再生装置による映像切替動作を示すフローチャート。
【発明を実施するための形態】
【００２０】
以下、本発明を具体化した実施形態による映像再生装置について、図面を参照して説明する。図１は、本発明の第１実施形態による映像再生装置の構成を概略的に示している。本実施形態による映像再生装置は、ＤＶＤ等の光ディスクを再生するために用いられる光ディスク装置１であり、光ピックアップ２と、スピンドルモータ３と、モータドライバ４と、フロントエンドプロセッサ（ＦＥＰ）５と、バックエンドプロセッサ６と、ビデオドライバ７と、ＨＤＭＩ８と、ＲＯＭ９と、リモコン１０と、リモコン受信部１２と、操作部１３と、サブ・マイコン１４と、蛍光表示管（ＶＦＤ）１５と、ＶＦＤドライバ１６とを備える。
【００２１】
光ピックアップ２は、光ディスク装置１に装填されて回転駆動される光ディスクにレーザ光を照射して反射光を受光し、電気信号に変換することにより、光ディスクに記録されているデータを読み取る。スピンドルモータ３は、光ディスク装置１に装填された光ディスクを回転駆動する。モータドライバ４は、スピンドルモータ３及びピックアップのスレッドモータ（図示せず）を駆動する。フロントエンドプロセッサ５は、光ピックアップ２及びモータドライバ４を制御して光ディスクからデータを読み出し、増幅等の信号処理を行い、バックエンドプロセッサ６に出力する。なお、光ピックアップ２、スピンドルモータ３、モータドライバ４、及びフロントエンドプロセッサ５は、第１データ読出手段として機能する。
【００２２】
バックエンドプロセッサ６は、装置各部の制御を司る。例えば、バックエンドプロセッサ６は、フロントエンドプロセッサ５に対して、光ディスクからのデータ読み出しを指示する信号、読み出しの停止を指示する信号等、ユーザからの指示に対応した各種の制御信号を送信する。また、バックエンドプロセッサ６は、復号手段として機能し、フロントエンドプロセッサ５から出力されたデータ及びＲＯＭ９から読み出したデータを並行して復号し、いずれか一方のデータをビデオドライバ７及びＨＤＭＩ８に出力する。ビデオドライバ７及びＨＤＭＩ８（映像データ出力手段）は、外部のディスプレイ及びスピーカに接続され、バックエンドプロセッサ６によって復号されたデータの入力を受け、接続されている外部機器に対応する信号に変換して出力する。
【００２３】
ＲＯＭ９は、第２データ記憶手段に相当し、後述する第２映像データを記憶する。なお、ＲＯＭ９は、バックエンドプロセッサ６が実行する制御プログラムを記憶するＲＯＭの記憶領域の一部を利用したものであってもよい。リモコン１０（指示入力手段）は、電源キー、数字キー、後述する映像切替指示キー１１等、光ディスク装置１に動作指示を入力するためにユーザにより操作される各種のキーを有し、ユーザのキー操作に応じて装置本体に対して赤外線信号を送信する。リモコン受信部１２は、リモコン１０から送信された赤外線信号を受信し、電気信号に変換してサブ・マイコン１４に出力する。操作部１３は、光ディスク装置１のフロントパネルに設けられ、装置に動作指示を入力するための各種の操作キーを有する。サブ・マイコン１４は、リモコン受信部１２及び操作部１３から出力される信号に基づいて、バックエンドプロセッサ６及びＶＦＤドライバ１６に指示信号を送る。蛍光表示管１５は、光ディスク装置１の動作状態を表示するために装置本体に設けられた表示部である。ＶＦＤドライバ１６は、サブ・マイコン１４からの指示信号に応じて蛍光表示管１５の表示を制御する。なお、バックエンドプロセッサ６及びサブ・マイコン１４は、映像データ切替手段として機能する。
【００２４】
本実施形態による光ディスク装置１は、初期設定において、リモコン１０の映像切替指示キー１１を有効にするか否かを選択できる。映像切替指示キー１１を有効に設定する場合は、併せてパスワード（例えば４桁の数字）を設定する。設定されたパスワードは、サブ・マイコン１４内に記憶される。映像切替指示キー１１は、ディスプレイに表示する映像を光ディスクの映像とＲＯＭ９の映像との間で切り替えるためにユーザにより操作されるキーである。ユーザが視聴している光ディスクの映像を他のユーザに見られたくない場合、光ディスクの再生中に映像切替指示キー１１を押下することにより、視聴中の光ディスクの映像を瞬時に別の映像つまりＲＯＭ９に記憶されているデータを再生した第２映像に切り替えることができる。第２映像データとしては、例えば他のユーザに見られても差し支えない映像のデータを予め記憶させておくことができる。また、第２映像に切り替わった後、映像切替指示キー１１を再度押下するとともに予め設定しておいたパスワードを入力することにより、映像を切り替える前に視聴していた光ディスクの映像が表示される。第２映像から光ディスクの映像に切り替える際、パスワードは、映像切替指示キー１１の押下に続けてリモコンの数字キー等を操作することにより入力され、パスワード入力画面は表示されない。
【００２５】
以下、図２を参照し、映像切替指示キー１１が有効に設定されている状態でユーザがディスク再生中に映像切替指示キー１１を操作したときの光ディスク装置１の動作について説明する。なお、以下の説明においては映像データについて述べているが、音声データについても映像データと同様に処理され、外部のスピーカに出力される。
【００２６】
ユーザが光ディスクの再生を指示すると、バックエンドプロセッサ６は、光ディスクから読み出された第１映像データを復号してビデオドライバ７及びＨＤＭＩ８に出力するとともに、それと並行してＲＯＭ９から第１映像データとは異なる第２映像データを読み出して復号する。つまり、バックエンドプロセッサ６は、光ディスクに記録されている第１映像データの再生中に、ＲＯＭ９に記憶されている第２映像データをバックグラウンドで再生する（Ｓ１１）。その後、映像切替指示キー１１が押下されなければ（Ｓ１２でＮＯ）、光ディスクに記録された第１映像データが継続してディスプレイに出力される。この間、ユーザがリモコン１０又は操作部１３を用いて早送りや巻戻し等の他の指示を入力すれば、表示中の第１映像データについてユーザ指示に対応する処理が行われる（Ｓ１３）。このとき、サブ・マイコン１４は、リモコン受信部１２及び操作部１３から受け取った信号に基づく指示信号をＶＦＤドライバ１６に出力する。それに応じて、ＶＦＤドライバ１６は、第１映像データについて行われている動作（再生、早送り、巻戻し等）を蛍光表示管１５に表示する。
【００２７】
その後、光ディスクに記録されている第１映像データがディスプレイに表示されているときに、ユーザが映像切替指示キー１１を押下して表示映像の切り替えを指示すると（Ｓ１２でＹＥＳ）、サブ・マイコン１４は、バックエンドプロセッサ６に対してリモコン受信部１２から出力された信号に基づく映像切替指示信号を送る。それに応じて、バックエンドプロセッサ６は、光ディスクから読み出されて復号された第１映像データに代えて、ＲＯＭ９から読み出されて復号された第２映像データをビデオドライバ７及びＨＤＭＩ８に出力し、第２映像をディスプレイに表示させる（Ｓ１４）。このとき、ＲＯＭ９に記憶されている第２映像データは予めバックグラウンドで再生されているため、映像切替指示に応じて直ちに出力映像を切り替えることができる。
【００２８】
その後、映像切替指示キー１１の押下に加えてパスワードの入力がなされるまで（Ｓ１５でＮＯ）、ＲＯＭ９に記憶された第２映像データが継続してディスプレイに出力される。この間、ユーザがリモコン１０又は操作部１３を用いて他の指示を入力すれば、表示中の第２映像データについてユーザ指示に対応する処理が行われる（Ｓ１６）。このとき、サブ・マイコン１４は、リモコン受信部１２及び操作部１３から受け取った信号に基づく指示信号をＶＦＤドライバ１６に出力する。それに応じて、ＶＦＤドライバ１６は、第２映像データについて行われている動作を蛍光表示管１５に表示する。
【００２９】
ＲＯＭ９に記憶されている第２映像データがディスプレイに表示されているときに、ユーザが映像切替指示キー１１を押下するとともにパスワードを入力して表示映像を元に戻すよう指示すると（Ｓ１５でＹＥＳ）、サブ・マイコン１４は、リモコン受信部１２から出力される信号に基づいて、入力されたパスワードが設定されたパスワードと一致するか否かを判断し（Ｓ１７）、一致していれば（Ｓ１７でＹＥＳ）、バックエンドプロセッサ６に対して映像切替指示信号を送る。それに応じて、バックエンドプロセッサ６は、ＲＯＭ９に記憶されている第２映像データに代えて、光ディスクに記録されている第１映像データをビデオドライバ７及びＨＤＭＩ８に出力する（Ｓ１８）。これにより、映像を切り替える前に視聴していた光ディスクの映像が再度表示される。
【００３０】
上記ステップＳ１７において、入力されたパスワードが設定されたパスワードと一致しない場合（Ｓ１７でＮＯ）、サブ・マイコン１４は映像切替指示信号を生成しない。従って、再度映像切替指示キー１１が押下され、正しいパスワードが入力されない限り、ＲＯＭ９に記憶された第２映像データが継続して表示される。
【００３１】
本実施形態の映像再生装置１によれば、光ディスクから読み出された第１映像データの復号と並行して、ＲＯＭ９から読み出された第２映像データが復号される。そして、ユーザが映像切替指示キー１１を操作すると、バックエンドプロセッサ６からビデオドライバ７及びＨＤＭＩ８を介して出力される映像データが第１映像データから第２映像データに切り替えられる。このとき、第２映像データは予めバックグラウンドで復号されているため、映像切替指示キー１１の操作に応じて直ちに出力映像を切り替えることができる。従って、ＲＯＭ９に予め他のユーザに見られても差し支えない第２映像データを記憶させておくことにより、その第２映像データを第１映像データと並行して復号することができる。よって、ユーザは、他のユーザに見られたくない第１映像データを個人的に視聴しているときに突然他のユーザが現れた場合であっても、リモコン１０の映像切替指示キー１１を押下するだけで瞬時に他のユーザに見られても差し支えない第２映像データに表示映像を切り替えることができる。その結果、他のユーザに違和感を与えることなく、個人的に視聴していた映像が他のユーザの目に触れることを防止し、ユーザのプライバシーを保護することができる。
【００３２】
また、ＲＯＭ９に記憶されている第２映像データが表示されている状態において、ユーザが映像切替指示キー１１を押下するとともにパスワードを入力すると、バックエンドプロセッサ６からビデオドライバ７及びＨＤＭＩ８に入力される映像データが第２映像データから第１映像データに切り替えられる。従って、例えば他のユーザが退室したためにユーザが第１映像データつまり光ディスクの映像を再度視聴したい場合には、映像切替指示キー１１を再度押下してパスワードを入力するだけで表示映像を元に戻すことができる。
【００３３】
第２映像データから第１映像データへの出力映像の切り替えは、映像切替指示キー１１の押下とともに予め設定されたパスワードが入力された場合にのみ行われる。従って、第２映像データの視聴中に他のユーザが映像切替指示キー１１を押下したとしても、第１映像データが表示されることはない。パスワードは、映像切替指示キー１１の押下に続けてリモコンの数字キー等を操作することにより入力され、パスワード入力画面は表示されない。従って、第２映像データの視聴中に他のユーザが映像切替指示キー１１を押下しても、他のユーザに不自然さを感じさせない。
【００３４】
さらに、ＲＯＭ９に記憶されている第２映像データがディスプレイに表示されているときにリモコン１０又は操作部１３が操作されると、表示中の第２映像データについてユーザ指示に対応する処理が行われ、当該処理に関する情報が蛍光表示管１５に表示される。従って、第２映像データが表示されているときに他のユーザがリモコン１０又は操作部１３を操作した場合にも、当該操作に応じて表示映像及び蛍光表示管１５の表示が変化するため、他のユーザに不自然さを感じさせない。
【００３５】
次に本発明の第２実施形態による映像再生装置について図３及び図４を参照して説明する。本実施形態による映像再生装置である光ディスク装置１は、図３に示されるように、第２映像データを記憶する手段として着脱可能な外部メモリ、例えばＳＤカード（登録商標）１７を備える。本実施形態においては、映像切替指示に応じて光ディスクの映像に代わってディスプレイに表示される第２映像データが、ＳＤカード１７に記憶される。ＳＤカード１７は、光ディスク装置１に設けられたＳＤカードスロット（図示せず）に装着される。その他の構成については、第１実施形態と同様であるため説明を省略する。以下、図４を参照し、映像切替指示キー１１が有効に設定されている状態でユーザがディスク再生中に映像切替指示キー１１を操作したときの光ディスク装置１の動作について説明する。
【００３６】
第１実施形態と同様に、ユーザが光ディスクの再生を指示すると、バックエンドプロセッサ６は、光ディスクから読み出された第１映像データを復号して出力するとともに、装置に装着されているＳＤカード１７から第２映像データを読み出してバックグラウンドで復号する（Ｓ２１）。その後、映像切替指示キー１１が押下されなければ（Ｓ２２でＮＯ）、第１映像データが継続してディスプレイに出力される。また、ユーザが早送りや巻戻し等の他の指示を入力すれば、表示中の第１映像データについてユーザ指示に対応する処理が行われる（Ｓ２３）。
【００３７】
光ディスクに記録されている第１映像データがディスプレイに表示されているときに、ユーザが映像切替指示キー１１を押下すると（Ｓ２２でＹＥＳ）、バックエンドプロセッサ６は、サブ・マイコン１４からの映像切替指示信号に応じて、第１映像データの代わりに、ＳＤカード１７から読み出されて復号された第２映像データをビデオ・ドライバ７及びＨＤＭＩ８に出力する（Ｓ２４）。このとき、第２映像データは予めバックグラウンドで再生されているため、映像切替指示キー１１の押下に応じて直ちに出力映像を切り替えることができる。その後、映像切替指示キー１１の押下に加えてパスワードの入力がなされるまで（Ｓ２５でＮＯ）、第２映像データが継続して出力される。また、この間、ユーザが他の指示を入力すれば、表示中の第２映像データについてユーザ指示に対応する処理が行われる（Ｓ２６）。
【００３８】
ＳＤカード１７に記憶されている第２映像データがディスプレイに表示されているときに、ユーザが映像切替指示キー１１を押下するとともにパスワードを入力すると（Ｓ２５でＹＥＳ）、サブ・マイコン１４は、入力されたパスワードが設定されたパスワードと一致するか否かを判断する（Ｓ２７）。パスワードが一致していれば（Ｓ２７でＹＥＳ）、バックエンドプロセッサ６は、サブ・マイコン１４からの映像切替指示信号に応じて、第２映像データに代えて、光ディスクに記録されている第１映像データを出力する（Ｓ２８）。パスワードが一致していなければ（Ｓ２７でＮＯ）、ＳＤカード１７に記憶されている第２映像データが継続して出力される。
【００３９】
本実施形態の映像再生装置１によれば、映像切替指示キー１１の押下に応じてＳＤカード１７に記憶された第２映像データをディスプレイに出力することができるので、多様な第２映像データの記憶を容易に行えるようになる。
【００４０】
次に本発明の第３実施形態による映像再生装置について図５及び図６を参照して説明する。本実施形態による映像再生装置１は、図５に示されるように、第２映像データを記憶する手段としてハードディスク（ＨＤＤ）１８を備える。本実施形態においては、映像切替指示に応じて光ディスクの映像に代わってディスプレイに表示される第２映像データが、ハードディスク１８に記憶される。その他の構成については、第１及び第２実施形態と同様であるため説明を省略する。
【００４１】
本実施形態においては、第２映像データはハードディスク１８に記憶されているコンテンツの映像データである。ハードディスク１８に記憶されている複数のコンテンツの中、いずれのコンテンツの映像データを第２映像データとして再生するかは、予めユーザが選択できるようにしてもよいし、映像再生装置１が任意のコンテンツの映像データを再生するようにしてもよい。以下、図６を参照し、映像切替指示キー１１が有効に設定されている状態でユーザがディスク再生中に映像切替指示キー１１を操作したときの映像再生装置１の動作について説明する。
【００４２】
第１及び第２実施形態と同様に、ユーザが光ディスクの再生を指示すると、バックエンドプロセッサ６は、光ディスクから読み出された第１映像データを復号して出力するとともに、ハードディスク１８に記憶されているコンテンツの映像データを第２映像データとして読み出してバックグラウンドで復号する（Ｓ３１）。その後、映像切替指示キー１１が押下されなければ（Ｓ３２でＮＯ）、光ディスクに記録された第１映像データが継続してディスプレイに出力される。また、ユーザが他の指示を入力すれば、表示中の第１映像データについてユーザ指示に対応する処理が行われる（Ｓ３３）。
【００４３】
光ディスクに記録されている第１映像データがディスプレイに表示されているときに、ユーザが映像切替指示キー１１を押下すると（Ｓ３２でＹＥＳ）、バックエンドプロセッサ６は、サブ・マイコン１４からの映像切替指示信号に応じて、第１映像データの代わりに、ハードディスク１８から読み出されて復号された第２映像データを出力する（Ｓ３４）。このとき、第２映像データは予めバックグラウンドで再生されているため、映像切替指示キー１１の押下に応じて直ちに出力映像を切り替えることができる。その後、映像切替指示キー１１の押下に加えてパスワードの入力がなされるまで（Ｓ３５でＮＯ）、第２映像データが継続して出力される。また、この間、ユーザが他の指示を入力すれば、表示中の第２映像データについてユーザ指示に対応する処理が行われる（Ｓ３６）。
【００４４】
ハードディスク１８に記憶されている第２映像データがディスプレイに表示されているときに、ユーザが映像切替指示キー１１を押下するとともにパスワードを入力すると（Ｓ３５でＹＥＳ）、サブ・マイコン１４は、入力されたパスワードが設定されたパスワードと一致するか否かを判断する（Ｓ３７）。一致していれば（Ｓ３７でＹＥＳ）、バックエンドプロセッサ６は、サブ・マイコン１４からの映像切替指示信号に応じて、第２映像データに代えて、光ディスクに記録されている第１映像データを出力する（Ｓ３８）。パスワードが一致していなければ（Ｓ３７でＮＯ）、第２映像データが継続してディスプレイに出力される。
【００４５】
本実施形態の映像再生装置１によれば、映像切替指示キー１１の押下に応じてハードディスク１８に記憶された第２映像データをディスプレイに出力することができるので、大容量の映像データを第２映像データとして記憶できる。
【００４６】
なお、本発明は上記実施形態の構成に限られることなく、種々の変形が可能である。例えば、本発明の映像再生装置はハードディスクレコーダであってもよい。その場合、上述したような第１映像データと第２映像データを同一のハードディスクに記憶することもできる。第１映像データとして再生されるデータは、光ディスク又はハードディスクに記録された映像データの他、外部メモリに記憶された映像データであってもよい。また、上記実施形態では、初期設定において映像切替指示キーが有効に設定されている場合に、ディスク再生指示に応じて自動的に第２映像データがバックグラウンドで再生される。このような構成の他、ユーザが光ディスク等に記録された第１映像データの再生中に必要に応じて第２映像データをバックグラウンドで再生するよう指示すると、第２映像データのバックグラウンドでの再生が開始されるような構成にしてもよい。第２映像データとして記憶されるデータは、いわゆるスクリーンセーバの映像データであってもよい。映像切替指示キーは、リモコン及び操作部の両方に設けてもよい。
【符号の説明】
【００４７】
１  映像再生装置
２  光ピックアップ
３  スピンドルモータ
４  モータドライバ
５  フロントエンドプロセッサ
６  バックエンドプロセッサ
７  ビデオドライバ
８  ＨＤＭＩ
９  ＲＯＭ
１０  リモコン
１１  映像切替指示キー
１２  リモコン受信部
１４  サブ・マイコン
１７  ＳＤカード
１８  ハードディスク
【図１】
2011114819.tif 000003
【図２】
2011114819.tif 000004
【図３】
2011114819.tif 000005
【図４】
2011114819.tif 000006
【図５】
2011114819.tif 000007
【図６】
2011114819.tif 000008